(57)【要約】  本発明の通信装置は、第１配線対に差動信号で第１の情報を送信する第１通信部と、第２配線対に差動信号で第２の情報を送信する第２通信部と、第１配線対に差動信号の片方を重畳し、第２配線対に差動信号のもう片方を重畳することで第３の情報を送信する第３通信部と、を具備する。また、本発明の信号重畳回路は、第１配線対に差動信号を乗せると共に別の差動信号の片方を重畳する第１重畳回路と、第２配線対に差動信号を乗せると共に別の差動信号のもう片方を重畳する第２重畳回路と、を備える。当該構成とすることで不要放射を抑えることができる。
2013027322.tif 000002
【特許請求の範囲】
【請求項１】
第１配線対に差動信号で第１の情報を送信する第１通信手段と、
第２配線対に差動信号で第２の情報を送信する第２通信手段と、
前記第１配線対に差動信号の片方を重畳し、前記第２配線対に前記差動信号のもう片方を重畳することで第３の情報を送信する第３通信手段と、
を具備する通信装置。
【請求項２】
前記第３通信手段は、前記差動信号の片方を前記第１配線対を構成する両方の伝送路で同相となるように重畳し、前記差動信号のもう片方を前記第２配線対を構成する両方の伝送路で同相となるように重畳することで前記第３の情報をコモンモードで送信する、
請求項１に記載の通信装置。
【請求項３】
前記第１通信手段は、前記第１配線対に差動信号で送信された第４の情報を受信し、
前記第２通信手段は、前記第２配線対に差動信号で送信された第５の情報を受信し、
前記第３通信手段は、前記第１配線対で送信された差動信号の片方と、前記第２配線対で送信された前記差動信号のもう片方と、を受信することで第６の情報を受信する、
請求項１又は２に記載の通信装置。
【請求項４】
第１配線対に差動信号を乗せると共に別の差動信号の片方を重畳する第１重畳回路と、
第２配線対に差動信号を乗せると共に前記別の差動信号のもう片方を重畳する第２重畳回路と、
を備える信号重畳回路。
【請求項５】
前記第１重畳回路は、前記別の差動信号の片方を前記第１配線対を構成する両方の伝送路で同相となるように重畳し、
前記第２重畳回路は、前記別の差動信号のもう片方を前記第２配線対を構成する両方の伝送路で同相となるように重畳する、
請求項４に記載の信号重畳回路。
【請求項６】
第１の差動信号を入力する第１入力手段と、
第２の差動信号を入力する第２入力手段と、
第３の差動信号を入力する第３入力手段と、
を備え、
前記第１重畳回路は、前記第１配線対に前記第１入力手段で入力された前記第１の差動信号を乗せると共に前記第３入力手段で入力された前記第３の差動信号の片方を重畳し、
前記第２重畳回路は、第２配線対に前記第２入力手段で入力された前記第２の差動信号を乗せると共に前記第３の差動信号のもう片方を重畳する、
請求項４又は５に記載の信号重畳回路。
【請求項７】
前記第３の差動信号の位相を遅延させる位相遅延回路を更に備え、
前記第１重畳回路は、前記位相遅延回路で位相を遅延させた第３の差動信号の片方を前記第１配線対に重畳し、
前記第２重畳回路は、前記位相遅延回路で位相を遅延させた第３の差動信号のもう片方を前記第２配線対に重畳する、
請求項６に記載の信号重畳回路。
【請求項８】
前記第１重畳回路及び前記第２重畳回路は、前記第１配線対及び前記第２配線対を流れる信号のベクトル和が０となるように信号を多重する、
請求項４乃至７のいずれか１項に記載の信号重畳回路。
【請求項９】
第１配線対に第１の差動信号を乗せ、
第２配線対に第２の差動信号を乗せ、
前記第１配線対に第３の差動信号の片方を重畳すると共に前記第２配線対に前記第３の差動信号のもう片方を重畳する、
信号重畳方法。
【発明の詳細な説明】
【技術分野】
【０００１】
本発明は複数の配線対を用いて信号を送信する通信装置及び複数の信号を重畳する信号重畳回路とその信号重畳方法に関する。
【背景技術】
【０００２】
従来、１００ＢＡＳＥ−ＴＸや１０００ＢＡＳＥ−Ｔと呼ばれる通信規格に沿った装置間通信が広く利用されている。また、装置間通信を行う装置を制御するために、制御用の入出力端子を設ける構成や、主回線で制御用の信号を伝送する構成が知られている。【０００３】
しかしながら、このような制御用の入出力端子を設ける構成では、入出力端子を設けることによりコストが増加し、また、入出力端子を設けるための空間も必要となる。更に、主回線で制御用の信号を伝送する構成では、主回線の容量が減ってしまうという問題もある。【０００４】
この様な問題を解決するための技術として、特許文献１に記載の伝送システムがある。特許文献１の伝送システムでは、イーサネット（登録商標）の対を構成する各配線にコモンモードの信号を伝送することで、制御用の入出力端子を設けず、主回線の容量を減らさずに制御信号を伝送する構成が開示されている。当該構成によれば、各ツイストペア配線にコモンモードの信号を重畳することで通信容量を増やすことが可能となる。
【先行技術文献】
【特許文献】
【０００５】
【特許文献１】特表２００８−５２１３４２号公報
【発明の概要】
【発明が解決しようとする課題】
【０００６】
上記特許文献１の伝送システムでは、配線周囲の雑音は各配線にコモンモードとして入力されるため、重畳したコモンモードの信号が雑音に影響されやすいという課題があった。また、特許文献１の伝送システムでは、配線にコモンモードの信号を伝送することから、配線毎に同方向の磁界が発生し、配線をアンテナとして不要放射が発生するという課題も生じていた。【０００７】
本発明は上記課題を鑑み、雑音の影響を受けにくく、不要放射を抑えた信号伝送を可能とする通信装置、信号重畳回路、信号重畳方法を提供することを目的とする。
【課題を解決するための手段】
【０００８】
本発明の第１の態様である通信装置は、第１配線対に差動信号で第１の情報を送信する第１通信部と、第２配線対に差動信号で第２の情報を送信する第２通信部と、前記第１配線対に差動信号の片方を重畳し、前記第２配線対に前記差動信号のもう片方を重畳することで第３の情報を送信する第３通信部と、を具備する。【０００９】
また、本発明の第２の態様である信号重畳回路は、第１配線対に差動信号を乗せると共に別の差動信号の片方を重畳する第１重畳回路と、第２配線対に差動信号を乗せると共に前記別の差動信号のもう片方を重畳する第２重畳回路と、を備える。【００１０】
また、本発明の第３の態様である信号重畳方法は、第１配線対に第１の差動信号を乗せ、第２配線対に第２の差動信号を乗せ、前記第１配線対に第３の差動信号の片方を重畳すると共に前記第２配線対に前記第３の差動信号のもう片方を重畳する。
【発明の効果】
【００１１】
本発明によれば、雑音の影響を受けにくく、不要放射を抑えた信号伝送を可能とする通信装置、信号重畳回路、信号重畳方法を提供することができる。
【図面の簡単な説明】
【００１２】
【図１】実施の形態１にかかる伝送システムの構成を示す図である。
【図２】実施の形態１にかかる伝送システムの信号伝送の様子を示す概念図である。
【図３】実施の形態１にかかる伝送システムの信号伝送の様子を示す概念図である。
【図４Ａ】実施の形態１にかかる伝送システムにおいて通信装置１０に入力される段階での各信号の信号波形の一例を示す図である。
【図４Ｂ】実施の形態１にかかる伝送システムにおいて位相調整回路１２Ａを通過した段階での各信号の信号波形の一例を示す図である。
【図４Ｃ】実施の形態１にかかる伝送システムにおいてツイストペア配線を通過中の段階での各信号の信号波形の一例を示す図である。
【図４Ｄ】実施の形態１にかかる伝送システムにおいて重畳コイル２１Ａ、２１Ｂにおける出力段階での各信号の信号波形の一例を示す図である。
【図４Ｅ】実施の形態１にかかる伝送システムにおいて位相調整回路２２Ａを通過した段階での各信号の信号波形の一例を示す図である。
【図５Ａ】実施の形態１にかかる伝送システムにおいて通信装置１０に入力される段階での各信号の信号波形の別の例を示す図である。
【図５Ｂ】実施の形態１にかかる伝送システムにおいてツイストペア配線を通過中の段階での各信号の信号波形の別の例を示す図である。
【図５Ｃ】実施の形態１にかかる伝送システムにおいて重畳コイル２１Ａ、２１Ｂにおける出力段階での各信号の信号波形の別の例を示す図である。
【図６】実施の形態１にかかる伝送システムの構成を示す図である。
【図７】実施の形態１にかかる信号重畳回路の構成を示すブロック図である。
【図８】実施の形態１にかかる信号重畳回路の別の構成を示すブロック図である。
【図９】実施の形態１にかかる通信装置の構成を示す図である。
【図１０】実施の形態１にかかる通信装置の変形例の構成を示す図である。
【発明を実施するための形態】
【００１３】
本発明の実施の形態について以下に図面を参照して説明する。以下の説明は、本発明の好適な実施の形態を示すものであって、本発明の範囲が以下の実施の形態に限定されるものではない。以下の説明において、同一の符号が付されたものは実質的に同様の内容を示している。
【００１４】
（実施の形態１）
以下、図面を参照して本発明の実施の形態について説明する。図１は、本発明の伝送システムの構成を示す図である。本発明の伝送システムは、通信装置１０と通信装置２０とが４つのツイストペア配線３０Ａ〜３０Ｄで接続されている。各ツイストペア配線は、２本の伝送配線をより合わせた撚り芯線である。
【００１５】
通信装置１０は、重畳コイル１１Ａ、１１Ｂ、１１Ｃ、１１Ｄと、位相調整回路１２Ａ、１２Ｂを備える。通信装置１０は、４本の主回線と２本の制御回線からの入力を、ツイストペア配線３０Ａ、３０Ｂ、３０Ｃ、３０Ｄに出力する。また、通信装置１０は、ツイストペア配線３０Ａ、３０Ｂ、３０Ｃ、３０Ｄからの入力を、４本の主回線と２本の制御回線に出力する。
【００１６】
同様に通信装置２０は、重畳コイル２１Ａ、２１Ｂ、２１Ｃ、２１Ｄと、位相調整回路２２Ａ、２２Ｂを備える。通信装置２０は、４本の主回線と２本の制御回線からの入力を、ツイストペア配線３０Ａ、３０Ｂ、３０Ｃ、３０Ｄに出力する。また、通信装置２０は、ツイストペア配線３０Ａ、３０Ｂ、３０Ｃ、３０Ｄからの入力を、４本の主回線と２本の制御回線に出力する。
【００１７】
通信装置１０に内蔵されている位相調整回路１２Ａ及び１２Ｂは、２対４個の入出力端子を備え、一対の端子に差動信号を入力すると、もう一対の端子に１／２位相遅延した差動信号を出力する。すなわち、位相調整回路１２Ａ及び１２Ｂは、入力した差動信号の位相を１／２位相遅延させ、位相遅延させた差動信号を出力する。
【００１８】
位相調整回路１２Ａは、入出力端子の一対を制御回線１と接続し、もう一対の入出力端子の片方を重畳コイル１１Ａに、もう片方を重畳コイル１１Ｂにそれぞれ接続する。同様に、位相調整回路１２Ｂは、入出力端子の一対を制御回線２と接続し、もう一対の入出力端子の片方を重畳コイル１１Ｃに、もう片方を重畳コイル１１Ｄにそれぞれ接続する。
【００１９】
通信装置１０に内蔵されている重畳コイル１１Ａ、１１Ｂ、１１Ｃ、１１Ｄ、はそれぞれ、２対４個の差動入出力端子と１個のコモンモード入出力端子を備える。重畳コイル１１Ａ、１１Ｂ、１１Ｃ、１１Ｄ、はそれぞれコモンモード入出力端子がある側をツイストペア配線３０Ａ、３０Ｂ、３０Ｃ、３０Ｄに接続する。
【００２０】
各重畳コイルの差動入出力端子は、重畳コイル内で対ごとに絶縁され、対間で差動信号は通過するが、コモンモード信号は通過しない。ここで、コモンモード信号とは、２本の伝送路を同位相で伝搬する信号をいう。各重畳コイルは、１対の差動入出力端子より入力した差動信号をもう一対の差動入出力端子より差動信号として出力する。
【００２１】
コモンモード入出力端子は、接続されている側の差動入出力端子にコモンモード信号が入力されると、同じ波形の信号を出力する。また、コモンモード入出力端子は、信号が入力されると、接続されている側の差動入出力端子に同じ波形のコモンモード信号を出力する。
【００２２】
次に、本実施の形態の伝送システムの動作を主回線と制御回線とに分けて説明し、その後、重畳した信号について説明する。なお、本発明において入力する差動信号は３対以上の任意の数とすることが可能であるため、以下の説明では、制御回線１と主回線１、２の部分を取り上げて説明する。
【００２３】
まず、主回線の伝送について図２を参照して説明する。図２は、通信装置１０の主回線１に入力された差動信号がツイストペア配線３０Ａを通って通信装置２０の主回線１に出力される様子を示している。主回線１より通信装置１０に入力された差動信号は重畳コイル１１Ａに入力され、同じ波形の差動信号がツイストペア配線３０Ａに出力される。また、ツイストペア配線３０Ａを通って通信装置２０に入力された差動信号は重畳コイル２１Ａに入力されて、同じ波形の差動信号が主回線に出力される。同様にして、通信装置２０の各主回線から通信装置１０の各主回線への信号伝送が行われる。
【００２４】
次に、制御回線の伝送について図３を参照して説明する。制御回線１より通信装置１０に入力された差動信号は、位相調整回路１２Ａに入力されて位相調整が行われる。位相調整回路１２Ａは、入力した差動信号に対して、１／２位相遅延させる位相調整を行い、位相調整後の差動信号の片方を重畳コイル１１Ａのコモンモード入出力端子に、もう片方を重畳コイル１１Ｂのコモンモード入出力端子にそれぞれ出力する。
【００２５】
位相調整回路１２Ａから重畳コイル１１Ａに入力された信号はコモンモード信号となってコモンモード入出力端子側の差動入出力端子からツイストペア配線３０Ａに出力される。同様に、位相調整回路１２Ａから重畳コイル１１Ｂに入力された信号はコモンモード信号となってコモンモード入出力端子側の差動入出力端子からツイストペア配線３０Ｂに出力される。この時、ツイストペア配線３０Ａとツイストペア配線３０Ｂ間では互いに逆位相のコモンモード信号が流れ、配線毎に発生する磁界が相殺されてコモンモード信号による不要放射が抑制される。
【００２６】
ツイストペア配線３０Ａを通過したコモンモード信号は、通信装置２０の重畳コイル２１Ａに入力され、重畳コイル２１Ａは、入力した同じ波形のコモンモード信号を差動信号の片方としてコモンモード入出力端子より位相調整回路２２Ａに出力する。ツイストペア配線３０Ｂを通過したコモンモード信号は通信装置２０の重畳コイル２１Ｂに入力され、重畳コイル２１Ｂは、入力した同じ波形のコモンモード信号を、差動信号のもう片方としてコモンモード入出力端子より位相調整回路２２Ａに出力する。このようにして、ツイストペア配線３０Ａとツイストペア配線３０Ｂでそれぞれ送信された逆位相の関係を満たす２つのコモンモード信号がお互い差動信号を構成する各信号として取り出されて差動信号となる。
【００２７】
重畳コイル２１Ａ及び重畳コイル２１Ｂより位相調整回路２２Ａに入力された差動信号は、位相調整回路２２Ａで１／２位相遅延され、主回線間の差動信号と同期が取れた状態で制御回線に出力される。このように通信装置１０から通信装置２０への制御回線の伝送が行われる。同様にして、通信装置２０の制御回線から通信装置１０の制御回線への信号伝送が行われる。
【００２８】
次に、重畳した信号について図４Ａ〜図４Ｅを参照して説明する。図４Ａは制御回線１、主回線１、主回線２から通信装置１０に入力される各信号の信号波形を示す。制御回線１、主回線１、主回線２から入力される各差動信号は互いに同期している。位相調整回路１２Ａを通過した信号を図４Ｂに示す。位相調整回路１２Ａを通過したことで、制御回線の波形が１／２位相遅延し、制御回線の信号と主回線１、２の信号の遷移するタイミングが分離する。信号が遷移するタイミングを分離する必要性については後述する。重畳コイル１１Ａ、１１Ｂを通過した後のツイストペア配線３０Ａ、３０Ｂ上の波形を図４Ｃに示す。この時、すべての波形のベクトル和が０となっている。重畳コイル２１Ａ、２１Ｂの出力を図４Ｄに示す。この時点で各回線の波形が復元されるが、制御回線１の波形は１／２位相遅延している。位相調整回路２２Ａの出力を図４Ｅに示す。位相調整回路２２Ａにより制御回線１の信号が１／２位相遅延し、主回線１、２とは１位相遅延し、同期した状態となる。
【００２９】
次に、図５Ａ〜図５Ｃを参照して位相調整回路の機能を説明する。図５Ａは制御回線１、主回線１、主回線２から通信装置１０に入力される信号の信号波形を示しており、図４Ａと同じ波形である。位相調整回路１２Ａを経由せずにこれらの波形の信号を重畳コイル１１Ａ、１１Ｂに入力すると、各重畳コイルより出力されるツイストペア配線３０Ａ、３０Ｂ上の信号は図５Ｂに示す波形となる。この波形の信号をツイストペア配線３０Ａ、３０Ｂを経由して重畳コイル２１Ａ、２１Ｂに入力すると、図５Ｃに示すように主回線の波形と制御回線の波形に分離できない部分が生じる。このように、同期し、かつ、周波数成分が近い信号を伝送する際には、差動信号とコモンモード信号が遷移するタイミングを分離する仕組みが必要となる。そこで、送信側において各主回線から入力した差動信号に対して制御回線から入力した差動信号を位相調整回路を用いて位相を遅延させた上で重畳する構成とすることで、受信側で適切に分離することができる。
【００３０】
なお、制御回線の信号を主回線の信号と比べて充分低速な信号とした場合は、重畳コイルで信号が分離できるようになり、位相調整回路は不要となる。この場合は、図６に示すように、位相調整回路で位相調整を行うことなく信号を重畳することができる。すなわち、第１重畳回路である重畳コイル１１Ａは、第１配線対となるツイストペア配線３０Ａに主回線１より入力した差動信号を乗せると共に、制御回線から入力する別の差動信号の片方を重畳する。また、第２重畳回路である重畳コイル１１Ｂは、第２配線対となるツイストペア配線３０Ｂに主回線２より入力した差動信号を乗せると共に、制御回線から入力する上記別の差動信号のもう片方を重畳する。通信装置１０において、このように信号が重畳された上で重畳後の信号がツイストペア配線３０Ａ、３０Ｂを通じて送信される。ここで、第１重畳回路である重畳コイル１１Ａは、制御回線より入力した上記別の差動信号の片方をツイストペア配線３０Ａを構成する両方の伝送路でコモンモードとなるように重畳し、第２重畳回路である重畳コイル１１Ｂは、上記別の差動信号のもう片方をツイストペア配線３０Ｂを構成する両方の伝送路でコモンモードとなるように重畳する。従って、ツイストペア配線３０Ａと３０Ｂとを構成する計４本の伝送路におけるベクトル和は０となるため、各配線より発生する磁界が相殺されて不要放射を抑えることができると共に受信側の通信装置２０においてコモンモード信号と差動信号を適切に信号分離することができる。本発明によればこのような構成とすることも可能である。
【００３１】
以上説明したように本発明によれば、配線を対として差動信号を伝送する通信装置において、第一の差動信号を伝送する配線対に所定の位相を持つ信号を重畳し、第二の差動信号を伝送する配線対に逆位相を持つ信号を重畳する。すなわち、第１配線対に重畳される信号と第２配線対に重畳される信号とは、差動信号の片方ともう片方とのようにそれぞれ逆位相の関係を満たして重畳される。当該構成とすることで、伝送路にコモンモード信号を重畳することによる不要な電波の放射を抑制し、配線数を増やさずに通信容量を増やすことができる。また、差動信号として制御回線より入力された信号がツイストペア配線上でコモンモード信号として伝送されるものの受信側において差動信号として取り出されるため雑音に対する耐性を高めることができる。すなわち、配線から加わった雑音は制御回線からコモンモードで出力されるため、制御回線の差動信号と雑音とを容易に分離して取り除くことができる。また、当該構成では、既存の配線に手を加えずに通信容量を増やすことが可能となるため、通信容量を増やすための配線費用を削減することができる。
【００３２】
なお、上記説明では送信側の位相調整回路１２Ａにおいて１／２位相遅延を行い、受信側の位相調整回路２２Ａで更に１／２位相遅延を行うことで計１位相の遅延を行う構成としたがこれに限るものではない。例えば位相調整回路１２Ａで１／４位相遅延を行い、位相調整回路２２Ａで３／４位相遅延を行うことで計１位相の位相遅延を行って信号が分離される構成であっても良い。
【００３３】
図７は、上記説明した通信装置内部における信号を重畳する信号重畳回路のブロック図である。信号重畳回路１００は、位相調整回路１２Ａと、入出力端子１３Ａ〜Ｃと、入出力端子１４Ａ、Ｂと重畳回路１１０Ａ、１１０Ｂと、を備える。
【００３４】
入出力端子１３Ａ〜Ｃは、２本の伝送路で構成される配線対である回線１〜３より第１〜第３の差動信号を入力する。入出力端子１３Ａ〜Ｃで入力された差動信号はそのまま重畳回路１１０Ａ、１１０Ｂ、位相調整回路１２Ａにそれぞれ出力される。
【００３５】
また、入出力端子１３Ａ〜Ｃは、重畳回路１１０Ａ、１１０Ｂ、位相調整回路１２Ａよりそれぞれ入力した差動信号をそのまま回線１〜３に出力する。
【００３６】
位相調整回路１２Ａは、入出力端子１３Ｃより入力した差動信号に対して所定の位相量の位相遅延を行い、位相遅延を行った差動信号うち片方の信号成分を重畳回路１１０Ａに出力し、もう片方の信号成分を重畳回路１１０Ｂに出力する。重畳回路１１０Ａ、１１０Ｂにそれぞれ出力される信号は、位相調整回路１２Ａに入力されて位相遅延が行われた差動信号の片方ともう片方であるため、お互い逆位相の関係を満たしている。
【００３７】
また、位相調整回路１２Ａは、重畳回路１１０Ａより入力した信号と重畳回路１１０Ｂから入力した信号とに同一の位相遅延量で位相遅延を行い、これら２つの信号を差動信号の各成分として入出力端子１３Ｃに差動信号を出力する。重畳回路１１０Ａと重畳回路１１０Ｂとから位相調整回路１２Ａに入力される２つの信号は、互いに逆位相の関係を満たしているため、これらの２つの信号を組み合わせて差動信号とすることができる。
【００３８】
重畳回路１１０Ａは、入出力端子１３Ａより入力した差動信号に位相調整回路１２Ａより入力した信号を重畳して入出力端子１４Ａに出力する。従って、重畳回路１１０Ａは、入出力端子１３Ａより入力した差動信号をそのまま差動信号として出力する一方、位相調整回路１２Ａより入力した信号を配線対を構成する伝送路に同相でコモンモード信号として出力する。よって、重畳回路１１０Ａからは、上記差動信号にコモンモード信号が重畳された信号が出力される。
【００３９】
また、重畳回路１１０Ａは、入出力端子１４Ａより入力した信号を同相成分と差動成分とで分離し、差動信号を入出力端子１３Ａに出力し、コモンモード信号成分を位相調整回路１２Ａに出力する。
【００４０】
重畳回路１１０Ｂは、入出力端子１３Ｂより入力した差動信号に位相調整回路１２Ａより入力した信号を重畳して入出力端子１４Ｂに出力する。従って、重畳回路１１０Ｂは、入出力端子１３Ｂより入力した差動信号をそのまま差動信号として出力する一方、位相調整回路１２Ａより入力した信号を配線対を構成する伝送路に同相でコモンモード信号として入出力端子１４Ｂに出力する。よって、重畳回路１１０Ｂからは、上記差動信号にコモンモード信号が重畳された信号が出力される。
【００４１】
また、重畳回路１１０Ｂは、入出力端子１４Ｂより入力した信号を同相成分と差動成分とで分離し、差動信号を入出力端子１３Ｂに出力し、コモンモード信号成分を位相調整回路１２Ａに出力する。
【００４２】
重畳回路１１０Ａと重畳回路１１０Ｂは、それぞれ図１の重畳コイル１１Ａ、１１Ｂに対応する。重畳回路１１０Ａと１１０Ｂよりそれぞれ入出力されるコモンモード信号は、上記で説明した通り逆位相の関係を満たす信号であり、位相調整回路１１Ａの差動入力端子にそれぞれ入力されて差動信号となる。
【００４３】
入出力端子１４Ａは、重畳回路１１０Ａより入力した信号を第１ツイストペア配線に出力し、ツイストペア配線より入力した信号を重畳回路１１０Ａに出力する。また、入出力端子１４Ｂは、重畳回路１１０Ｂより入力した信号を第２ツイストペア配線に出力し、ツイストペア配線より入力した信号を重畳回路１１０Ｂに出力する。各ツイストペア配線には差動信号及びコモンモード信号が重畳されて送信される。
【００４４】
なお、信号重畳回路１００は、図８に示すように構成することも可能である。当該構成では、位相調整回路１２Ａ、１２Ｂがそれぞれ入出力端子１３Ａ，１３Ｂと重畳回路１１０Ａ、１１０Ｂとの間に配置されている。すなわち、位相調整回路１２Ａは、入出力端子１３Ａより入力した差動信号に所定の位相量の位相遅延を行い、位相遅延後の差動信号を重畳回路１１０Ａに出力する。また、位相調整回路１２Ｂは、入出力端子１３Ｂより入力した差動信号に所定の位相量の位相遅延を行い、位相遅延後の差動信号を重畳回路１１０Ｂに出力する。
【００４５】
当該構成においても、各重畳回路において差動信号とコモンモード信号とに位相差を持たせて重畳することができるため、受信側で適切に信号分離を行うことができる。
【００４６】
また、本発明の通信装置は図９に示す構成とすることも可能である。図９において通信装置４０は、第１通信部４１Ａと、第２通信部４１Ｂと、第３通信部４１Ｃと、を備える。
【００４７】
第１通信部４１Ａは、第１配線対であるツイストペア配線３０Ａに差動信号を乗せて第１の情報を送信する。
【００４８】
第２通信部４１Ｂは、第２配線対であるツイストペア配線３０Ｂに差動信号を乗せて第２の情報を送信する。
【００４９】
第３通信部４１Ｃは、ツイストペア配線３０Ａに差動信号の片方を重畳し、ツイストペア配線３０Ｂに前記差動信号のもう片方を重畳することで第３の情報を送信する。
【００５０】
ここで、第３通信部４１Ｃはツイストペア配線３０Ａを構成する両方の伝送路にそれぞれ前記差動信号の片方を同相で送信し、ツイストペア配線３０Ｂを構成する両方の伝送路にそれぞれ前記差動信号のもう片方を同相で送信することで前記第３の情報を送信する。
【００５１】
また、第３通信部４１Ｃは、送信タイミングをずらして前記第３の情報を送信する。具体的には、内部に設けられた位相調整部を用いて送信する信号の位相を所定の位相量だけ調整した上で送信する。従って、第１通信部４１Ａから送信される信号と第２通信部４１Ｂから送信される信号は送信タイミングが一致しているものの、第３通信部４１Ｃから送信される信号は送信タイミングがずれている。従って、受信側の通信装置において適切に信号分離することができる。
【００５２】
なお、図１０に示すように、送信する信号の位相調整を行う位相調整部４２は第３通信部４１Ｃの外部に設けられていても良い。
【００５３】
なお、上記説明では、４つの主回線及び２つの制御回線で合計６対の差動信号を入力する構成について説明したがこれに限るものではない。本発明の通信装置において、入力する差動信号は３対以上の任意の数とすることが可能である。
【００５４】
その他、本発明は上記実施の形態に限られたものではなく、趣旨を逸脱しない範囲で適宜変更することが可能である。例えば、以下の構成とすることが可能である。
【００５５】
（１）第１配線対に差動信号で第１の情報を送信する第１通信部と、第２配線対に差動信号で第２の情報を送信する第２通信部と、前記第１配線対に差動信号の片方を重畳し、前記第２配線対に前記差動信号のもう片方を重畳することで第３の情報を送信する第３通信部と、を具備する通信装置。
（２）前記第３通信部は、前記差動信号の片方を前記第１配線対を構成する両方の伝送路で同相となるように重畳し、前記差動信号のもう片方を前記第２配線対を構成する両方の伝送路で同相となるように重畳することで前記第３の情報をコモンモードで送信する、（１）に記載の通信装置。
（３）前記第１通信部は、前記第１配線対に差動信号で送信された第４の情報を受信し、前記第２通信部は、前記第２配線対に差動信号で送信された第５の情報を受信し、前記第３通信部は、前記第１配線対で送信された差動信号の片方と、前記第２配線対で送信された前記差動信号のもう片方と、を受信することで第６の情報を受信する、（１）又は（２）に記載の通信装置。
（４）第１配線対に差動信号を乗せると共に別の差動信号の片方を重畳する第１重畳回路と、第２配線対に差動信号を乗せると共に前記別の差動信号のもう片方を重畳する第２重畳回路と、を備える信号重畳回路。
（５）前記第１重畳回路は、前記別の差動信号の片方を前記第１配線対を構成する両方の伝送路で同相となるように重畳し、前記第２重畳回路は、前記別の差動信号のもう片方を前記第２配線対を構成する両方の伝送路で同相となるように重畳する、（４）に記載の信号重畳回路。
（６）第１の差動信号を入力する第１入力部と、第２の差動信号を入力する第２入力部と、第３の差動信号を入力する第３入力部と、を備え、前記第１重畳回路は、前記第１配線対に前記第１入力部で入力された前記第１の差動信号を乗せると共に前記第３入力部で入力された前記第３の差動信号の片方を重畳し、前記第２重畳回路は、第２配線対に前記第２入力部で入力された前記第２の差動信号を乗せると共に前記第３の差動信号のもう片方を重畳する、（４）又は（５）に記載の信号重畳回路。
（７）前記第３の差動信号の位相を遅延させる位相遅延回路を更に備え、前記第１重畳回路は、前記位相遅延回路で位相を遅延させた第３の差動信号の片方を前記第１配線対に重畳し、前記第２重畳回路は、前記位相遅延回路で位相を遅延させた第３の差動信号のもう片方を前記第２配線対に重畳する、（６）に記載の信号重畳回路。
（８）前記第１重畳回路及び前記第２重畳回路は、前記第１配線対及び前記第２配線対を流れる信号のベクトル和が０となるように信号を多重する、（４）乃至（７）のいずれか１項に記載の信号重畳回路。
（９）第１配線対に第１の差動信号を乗せ、第２配線対に第２の差動信号を乗せ、前記第１配線対に第３の差動信号の片方を重畳すると共に前記第２配線対に前記第３の差動信号のもう片方を重畳する、信号重畳方法。
（１０）前記第１重畳回路は、前記第１配線対より入力した信号を差動信号成分とコモンモード信号成分に分離して前記差動信号成分を前記第１入力部に、前記コモンモード信号成分を前記第３入力部にそれぞれ出力し、前記第２重畳回路は、前記第２配線対より入力した信号を差動信号成分とコモンモード信号成分に分離して前記差動信号成分を前記第２入力部に、前記コモンモード信号成分を前記第３入力部にそれぞれ出力し、前記第１入力部は、前記第１重畳回路より入力した差動信号成分を第４の差動信号として出力し、前記第２入力部は、前記第２重畳回路より入力した差動信号成分を第５の差動信号として出力し、前記第３入力部は、前記第１重畳回路より入力したコモンモード信号成分と前記第２重畳回路より入力したコモンモード信号成分とを組み合わせて第６の差動信号として出力する、（６）に記載の信号重畳回路。
【００５６】
以上、実施の形態を参照して本願発明を説明したが、本願発明は上記によって限定されるものではない。本願発明の構成や詳細には、発明のスコープ内で当業者が理解し得る様々な変更をすることができる。
【００５７】
この出願は、２０１１年８月２３日に出願された日本出願特願２０１１−１８１８５４を基礎とする優先権を主張し、その開示の全てをここに取り込む。
【符号の説明】
【００５８】
１０    通信装置                  １１Ａ−Ｄ  重畳コイル
１２Ａ、Ｂ  位相調整回路          １３Ａ−Ｃ  入出力端子
１４Ａ、Ｂ    入出力端子
２０    通信装置                  ２１Ａ−Ｄ  重畳コイル
２２Ａ、Ｂ    位相調整回路
３０Ａ−Ｄ    ツイストペア配線
４０    通信装置                  ４１Ａ−Ｃ  通信部
４２    位相調整部
１００      信号重畳回路              １１０Ａ、Ｂ  重畳回路
【図１】
2013027322.tif 000003
【図２】
2013027322.tif 000004
【図３】
2013027322.tif 000005
【図４Ａ】
2013027322.tif 000006
【図４Ｂ】
2013027322.tif 000007
【図４Ｃ】
2013027322.tif 000008
【図４Ｄ】
2013027322.tif 000009
【図４Ｅ】
2013027322.tif 000010
【図５Ａ】
2013027322.tif 000011
【図５Ｂ】
2013027322.tif 000012
【図５Ｃ】
2013027322.tif 000013
【図６】
2013027322.tif 000014
【図７】
2013027322.tif 000015
【図８】
2013027322.tif 000016
【図９】
2013027322.tif 000017
【図１０】
2013027322.tif 000018
【国際調査報告】
2013027322.tif 000019
2013027322.tif 000020
2013027322.tif 000021